(57)【要約】【課題】Ｗｅｂページの閲覧時に、携帯端末などの小さな表示部しか持たない情報機器であってもユーザにスクロール操作などの手間を取らせることなく、ユーザにとって重要度の高い情報が含まれる部分を優先的に表示部に表示する機能を有する表示装置を提供する。【解決手段】携帯端末１０において、Ｗｅｂページ閲覧時にそのページを一時的に保存しておくページ保存部１２を設け、再度同じＷｅｂページを閲覧したとき、制御部１７が前回保存しておいたページ内容との比較を行い、変更された箇所が複数ある場合、当該変更された複数個所の位置を示す当該Ｗｅｂページ全体の縮小表示を、当該Ｗｅｂページの初期表示として表示部１６に表示する。【選択図】図１
2010170583.tif 000002
【特許請求の範囲】
【請求項１】
表示手段と、
所定のＷｅｂページ情報を取得する取得手段と、
前記取得手段により取得されたＷｅｂページ情報の少なくとも一部を記憶する記憶手段と、
前記取得手段により新たに取得されたＷｅｂページ情報と、前記記憶手段により記憶されたＷｅｂページ情報であって、前記新たに取得されたＷｅｂページ情報と同じアドレスから取得されたＷｅｂページ情報の少なくとも一部とを比較し、変更された要素が複数ある場合、当該変更された複数の要素の位置を示す当該Ｗｅｂページ全体の縮小表示を、当該Ｗｅｂページの初期表示として前記表示手段に表示する制御手段と
を有する表示装置。
【請求項２】
操作手段をさらに有し、
前記制御手段は、前記初期表示後に、前記操作手段によって選択された前記変更された要素を元の倍率で前記表示手段に表示する
請求項１に記載の表示装置。
【発明の詳細な説明】
【技術分野】
【０００１】
本発明は、Ｗｅｂページ等を表示可能で、設定された複数の優先条件に従い所定の項目を優先的に表示する表示装置に関するものである。
【背景技術】
【０００２】
優先条件に従い所定の項目を優先的に表示する方法等して、以下に示すような第１から第３の技術が提案されている。
【０００３】
第１は、複数のリンク先のコンテンツ先読み順番を、各リンク先のページの優先度によって決定し、優先度を過去におけるアクセス頻度によって決定するコンテンツ先読み方法である（たとえば特許文献１参照）。
【０００４】
第２は、Ｗｅｂページごとのリンク先一覧を、過去の履歴を基にした選択頻度とともに保持するリンクテーブルと、リンクの選択が行われたときにリンクテーブルの内容を更新するテーブル更新部と、リンクテーブルの内容に基づき過去の選択頻度が高いＵＲＬのデータ先読みを行うページ先読み部と、を有するページ先読み方式である（たとえば特許文献２参照）。
【０００５】
第３は、Ｗｅｂページが更新されている場合、更新されているＷｅｂページとキャッシュファイルとを比較し、更新されたテキストデータ部分については他の部分のテキストデータと識別可能にして表示する表示方法である（たとえば特許文献３参照）。
【先行技術文献】
【特許文献】
【０００６】
【特許文献１】特開平１１−２１９３１３号公報
【特許文献２】特開平１１−２４９８２３号公報
【特許文献３】特開２００１−３４５２５号公報
【発明の概要】
【発明が解決しようとする課題】
【０００７】
ところで、近年の携帯電話やＰＤＡなどの携帯端末の普及により、携帯端末を用いてインターネット上のWebページを閲覧するケースが増加している。  
【０００８】
こうしたＷｅｂページは、パーソナルコンピュータなどの大きなディスプレイ装置を備えた機器で閲覧することを想定し作られたものがほとんどであり、小さな表示部しか持たない携帯端末で閲覧するには適さないものが多い。
【０００９】
また、携帯電話などの小型携帯端末では、入力手段も限られている。パーソナルコンピュータでは入力装置としてマウスなどのポインティングデバイスがあることが想定されるが、多くの携帯電話端末では少数のキーによりＷｅｂページ閲覧時の操作を行っている。
【００１０】
大きなＷｅｂページや画像を小さな画面で閲覧するための手法として、Ｗｅｂページ全体を縮小して、ページの幅全体、もしくはページ全体が表示部に収まるようにし表示するものがある。
【００１１】
しかし、多くのＷｅｂページは携帯端末の表示部よりもかなり大きい。  
【００１２】
したがって、よって上記の閲覧手法では、表示部に収まるように縮小すると縮小率が大きくなり、ページ中の文字が読めなくなってしまうおそれがある。
【００１３】
また、パーソナルコンピュータなどを対象に作られたＷｅｂページを、小さなディスプレイ装置しかもたない携帯端末で閲覧すると、多くの場合あまり重要でない部分（多くは左上）が初期状態で表示され、スクロールを行わなければならないことが多い。  
【００１４】
そのため、大きなサイズのＷｅｂページを携帯端末で閲覧した場合、表示部の表示範囲外の情報を閲覧するには何度もキーを押下してスクロールさせなければならず、ユーザに煩わしい操作を強いるという不利益がある。
【００１５】
そこで、前述したような優先順位に従って所定の項目を優先的に表示する方法を採用することが考えられる。
【００１６】
しかしながら、上述した優先順位に応じた表示技術は、過去の履歴をとって選択回数やアクセス頻度等により優先順位を付けることから、そのときにユーザが真に必要としている重要度の高い要素を表示するとは限らず、また、最優先の優先条件を満たす要素がない場合に、次に優先度の高い要素を表示するといったことを実現することができない。  
【００１７】
また、あるページでは最優先でも、他のページではその要素が存在しないことがあり、また、あるページでは優先度が低くても、他のページでは最優先となることもあるが、上述した従来の技術では、状況に応じて優先度を設定することができず、これらの要望に十分にこたえることができない。  
【００１８】
すなわち、従来の技術では、ユーザにとって重要度の高い情報を初期状態で表示することできず、認視性を損なったり、煩わしいスクロール操作を行ったりする必要があり、必要な情報をいち早く表示することができないという不利益がある。
【００１９】
本発明の目的は、認視性を損なったり、煩わしいスクロール操作を行ったりすることなく、必要な情報をいち早く表示することが可能な表示装置を提供することにある。
【課題を解決するための手段】
【００２０】
上記目的を達成するため、本発明の観点は、表示手段と、所定のＷｅｂページ情報を取得する取得手段と、前記取得手段により取得されたＷｅｂページ情報の少なくとも一部を記憶する記憶手段と、前記取得手段により新たに取得されたＷｅｂページ情報と、前記記憶手段により記憶されたＷｅｂページ情報であって、前記新たに取得されたＷｅｂページ情報と同じアドレスから取得されたＷｅｂページ情報の少なくとも一部とを比較し、変更された要素が複数ある場合、当該変更された複数の要素の位置を示す当該Ｗｅｂページ全体の縮小表示を、当該Ｗｅｂページの初期表示として前記表示手段に表示する制御手段と  を有する。
【００２１】
好適には、操作手段をさらに有し、前記制御手段は、前記初期表示後に、前記操作手段によって選択された前記変更された要素を元の倍率で前記表示手段に表示する。
【発明の効果】
【００２２】
本発明によれば、認視性を損なったり、煩わしいスクロール操作を行ったりすることなく、必要な情報をいち早く表示することが表示装置を提供することができる。
【図面の簡単な説明】
【００２３】
【図１】本発明に係る表示装置を採用した携帯端末の一実施形態を示すブロック構成図である。
【図２】本実施形態におけるＷｅｂページの初期表示動作を説明するためのフローチャートである。
【図３】本実施形態におけるユーザ操作などによる表示候補切り替え要求時の動作例を説明するためのフローチャートである。
【図４】サンプルのＷｅｂページの更新前と更新後の全体のレイアウトを示した図である。
【図５】図４のＷｅｂページを閲覧したときの従来の表示例と、本実施形態における表示例を示す図である。
【図６】本実施形態における更新箇所の一覧表示例を示す図である。
【図７】本実施形態における更新の有無の表示例を示す図である。
【図８】本実施形態におけるアニメーションによる表示位置の移動例を示す図である。
【図９】本実施形態における更新箇所の検出例を示す図である。
【図１０】表示位置の遷移を表した図である。
【発明を実施するための形態】
【００２４】
以下、本発明の実施形態を添付図面に関連付けて説明する。
【００２５】
図１は、本発明に係る表示装置を採用した携帯端末の一実施形態を示すブロック構成図である。
【００２６】
本実施形態の携帯端末１０は、ブラウザソフトウェアを搭載し、Ｗｅｂページを閲覧可能で、小さな表示部しかもたない機器であっても、ユーザにスクロール操作などの手間を取らせることなく、ユーザにとって重要度の高い情報が含まれる部分を優先的に表示部に表示する機能を有する。  
【００２７】
携帯端末１０としては、携帯電話機、ＰＤＡ等を例示することが可能であるが、図１においては、Ｗｅｂページ等の閲覧装置としての本発明に係る表示装置の機能を中心に示ししており、本実施形態においては、閲覧装置としての表示装置の機能を中心に説明する。
【００２８】
本実施形態の携帯端末１０は、所定のＷｅｂページ情報を取得し、取得したページ情報を記憶しておき、新たに取得したページ情報と記憶されたページ情報とを比較し、更新（変更）された要素がある場合、更新された要素を所定の位置にたとえば強調して表示する機能を有する。  
【００２９】
携帯端末１０は、更新の態様により、優先順位をつけて所定位置への表示を行う。  
【００３０】
ここで、更新の態様には、ＮＥＷ、更新、新規、名称変更、他の要素・項目目に変更すること等を含まれる。  
【００３１】
また、更新された要素が複数ある場合、更新された複数の要素を一の更新として扱い、数字（列）の変更は、更新ではないとみなすことができる。また、所定のＷｅｂページにおいて最初に更新されたと判断した要素を、最も優先順位が高い要素とする。  
【００３２】
携帯端末１０は、更新された要素が所定数より多い場合、更新された要素を所定位置に表示する動作を行わない。  
【００３３】
また、本実施形態おいては、要素を表示する位置を指定可能な機能を有し、表示位置として表示画面中央、左上、右上等を設定可能である。  
【００３４】
また、本実施形態の携帯端末機１０は、要素を所定の位置に表示させるために必要なスクロール量を計算し、初期位置から計算されたスクロール量分だけ移動させた位置に、更新された要素を表示する機能を有する。  
【００３５】
また、本実施形態の携帯端末１０は、所定のＷｅｂページにおいて、優先順位の最も高い要素が表示されると共に、優先順位の低い更新要素が所定の位置に表示されるように表示を切り替え可能な機能を有する。すなわち、携帯端末１０は、ユーザの操作により、優先順位の低い要素の表示に順次切り替える機能を有している。  
【００３６】
このように、優先度の順に表示位置を切り替える機能を備えているが、本切り替えは、ユーザの操作により行われても良いし、一定時間経過後に自動的に行われても良い。  
【００３７】
また、携帯端末１０は、次の表示位置に移動する様子をアニメーションにより視覚的に示す機能を備えている。
【００３８】
さらに、携帯端末１０は、以下の機能を含んで構成される。  
【００３９】
更新箇所がＷｅｂページ内に規定数以上存在する場合、リニューアルされたものと判断し、更新箇所を表示するための初期スクロールは行わない機能と、表示動作は、Ｗｅｂページ全体を縮小表示して更新箇所の位置を示し、ユーザに選択された更新箇所を元の倍率で表示するよう表示位置を切り替える機能と、更新箇所が存在しない場合には、その旨を示すアイコンまたはメッセージを表示する機能と、比較対象となる過去のＷｅｂページが前記ページ保存部に存在しない場合には、その旨を示すアイコンまたはメッセージを表示する機能と、およびページを比較する際は、更新のあった箇所に、閲覧中のＷｅｂページとは異なるドメインのＵＲＬ(Uniform Resource Locator)へのリンクが設定されている場合、更新箇所として検出しない機能と、を有している。
【００４０】
以下、本実施形態に係る携帯端末１０の各部の構成、機能、並びに、Ｗｅｂページの初期表示動作、表示候補切り替え要求時の動作、Ｗｅｂページレイアウトと更新箇所の例、Ｗｅｂページ閲覧時の初期表示例、更新箇所の一覧表示例、更新の有無の表示例、アニメーションによる表示位置の移動例、更新箇所の検出例、表示位置の遷移について順を追って説明する。
【００４１】
図１に示すように、携帯端末１０は、ページ取得部１１、ページ保存部１２、時計部１３、記憶部１４、操作部１５、表示部１６、および制御部１７を有している。
【００４２】
ページ取得部１１は、通信機能を用い通信ネットワーク等を通じてＷｅｂページを取得する機能、および／または図示しない記録装置からＷｅｂページを取得する機能を有する。  
【００４３】
ページ取得部１１は、取得したＷｅｂページ情報を制御部１７に出力する。  
【００４４】
ページ所得部１１は、携帯端末１０が携帯電話機の場合、通信機能により、図示しない基地局を介した無線通信動作、たとえば、電話番号の発呼動作や電子メールの送受信動作などを行う。
【００４５】
ページ保存部１２は、制御部１７により、ページ取得部１１により取得したページとそのページに付随する情報を保存する。
【００４６】
計時部１３は、現在の日付、時刻を計時する。計時部１３が計時する日付、時刻は制御部１７により参照される。
【００４７】
記憶部１４は、制御部１７により、たとえばＷｅｂページの更新箇所情報が格納される。  
【００４８】
記憶部１４は、ＥＥＰＲＯＭ等の不揮発性メモリを含んで構成され、たとえば通話やメールの送受信のための制御プログラム、インターネットブラウザ、メッセージデータ、名前および電話番号が登録されたアドレス帳などを記憶する。  
【００４９】
記憶部１４には、Ｗｅｂページ情報により抽出される要素の種別、要素の情報、優先順位(優先度)、Ｗｅｂページ閲覧時の時刻情報、Ｗｅｂページ全体における座標点等が、ＵＲＬにブジェクトと関連付けて形態で制御部１７により格納される。
【００５０】
操作部１５は、数字等に対応した複数のテンキー等や、携帯電話機の場合には、終了（終話）／電源キー、開始（発呼）キー、これらのキーがユーザにより操作されることにより、ユーザからの優先順位の切り替え指示、要素を表示部１６に表示する位置等の入力情報を制御部１７に出力する。
【００５１】
表示部１６は、液晶表示装置（ＬＣＤ）等の表示デバイスを有し、制御部１７の制御の下、受信した電子メールのテキストや記憶部１４に格納された様々なテキストデータを表示する。  
【００５２】
また、表示部１６は、制御部１７の制御に従った優先順位で、取得したＷｅｂページ情報を、たとえば記憶部１４に格納された表示規定（表示座標、表示形式、または／および表示サイズ）に従った形態で表示する。
【００５３】
制御部１７は、マイクロコンピュータを主体として構成され、携帯端末１０の全体の制御を行う。たとえば、制御部１７は、ページ取得部１１における各種情報の無線による送受信の制御、表示部１６への情報の表示制御、操作部１５の入力情報に応じた処理、記憶部１４に対するアクセス制御等を行う。  
【００５４】
制御部１７は、新たな取得したページ情報と記憶１４に記憶されたページ情報とを比較し、更新（変更）された要素がある場合、更新された要素を所定の位置に強調して表示する。また、更新された要素が複数ある場合、更新された複数の要素を一の更新として扱い、数字（列）の変更は、更新ではないとみなすことができる。また、所定のＷｅｂページにおいて最初に更新された判断した要素を、最も優先順位が高い要素とする。  
【００５５】
制御部１０は、更新された要素が所定数より多い場合、更新された要素を所定位置に表示する動作を行わない。  
【００５６】
また制御部１７は、Ｗｅｂページ情報の表示部１６への表示後はユーザの操作部１５の操作などにより選択候補を優先度順に切り替え、表示位置を決定する。  
【００５７】
制御部１７は、要素を所定の位置に表示させるために必要なスクロール量を計算し、初期位置から計算されたスクロール量分だけ移動させた位置に、更新された要素を表示部１６に表示する。  
【００５８】
制御部１７は、所定のＷｅｂページにおいて最初に優先条件を満たすと判断した要素を、最も優先順位が高い要素とする。制御部１７は、所定のＷｅｂページにおいて、優先順位の最も高い要素が表示されると共に、優先順位の低い要素が表示部１６の表示画面の所定の位置に表示されるように表示を切り替える。また、制御部１７は、次の表示位置に移動する様子をアニメーションにより視覚的に示すように表示部１６の表示を制御する。
【００５９】
制御部１７は、更新箇所がＷｅｂページ内に規定数以上存在する場合、リニューアルされたものと判断し、更新箇所を表示するための初期スクロールは行わない。また、表示動作は、Ｗｅｂページ全体を縮小表示して更新箇所の位置を示し、ユーザに選択された更新箇所を元の倍率で表示するよう表示位置を切り替える。また、更新箇所が存在しない場合には、その旨を示すアイコンまたはメッセージを表示部１６に表示し、比較対象となる過去のＷｅｂページがページ保存部１２に存在しない場合には、その旨を示すアイコンまたはメッセージを表示部１６に表示する。また、制御部１７は、Ｗｅｂページを比較する際は、更新のあった箇所に、閲覧中のＷｅｂページとは異なるドメインのＵＲＬ(Uniform Resource Locator)へのリンクが設定されている場合、更新箇所として検出しない。
【００６０】
次に、Ｗｅｂページ初期表示動作について、図２に関連付けて説明する。  
【００６１】
図２は、本実施形態に係る携帯端末１０におけるＷｅｂページの初期表示動作を説明するためのフローチャートである。
【００６２】
まず、ステップＳＴ１において、表示するＷｅｂページをページ取得部１１により取得する。
【００６３】
ステップＳＴ２において、取得したＷｅｂページと同ＵＲＬのＷｅｂページをページ保存部１３の保存情報から検索する。
【００６４】
ステップＳＴ３においては、ステップＳＴ２において取得Ｗｅｂページと同ＵＲＬのＷｅｂページがページ保存部１３に存在しなかった場合、ステップＳＴ４の処理に進み、存在した場合にはステップＳＴ５の処理に進む。
【００６５】
ステップＳＴ４においては、比較対照となる過去のＷｅｂページが存在しないため、更新箇所の判定が不可能であることを示すメッセージまたはアイコンを表示部１６に表示する。
【００６６】
ステップＳＴ５においては、制御部１７により更新箇所の検出が行われ、更新箇所の情報を記憶部１４に格納する。
【００６７】
ステップＳＴ６において、ステップＳＴ５の処理の結果、更新箇所が検出されなければステップＳＴ７の処理に進み、検出されればステップＳＴ８の処理に進む。
【００６８】
ステップＳＴ７においては、取得したＷｅｂページ内に更新箇所がないことを示すメッセージまたはアイコンを表示部１６に表示する。
【００６９】
ステップＳＴ８においては、取得したＷｅｂページ内に更新箇所が存在することを示すメッセージまたはアイコンを表示部１６に表示する。
【００７０】
ステップＳＴ９においては、最初の更新箇所を表示部上の所定の位置（左上、上中央、右上、左、中央、右、左下、下中央、右下など）に表示するためのスクロール量を設定する。
【００７１】
次に、ステップＳＴ１０において、設定されたスクロール量だけスクロールしてページを表示部１６に表示する。スクロール量が設定されていなければ、スクロール量は横方向、縦方向ともに０とする。もしスクロール量が最小値以下であったり、最大値以上であった場合は、それぞれ最小値、最大値に制限しスクロールする。また、Ｗｅｂページ中の更新箇所は強調表示して表示部１６に表示する。
【００７２】
ステップＳＴ１１においては、ステップＳＴ１で取得したＷｅｂページを、ＵＲＬ情報、取得した日付・時刻情報とともにページ保存部１２に保存する。同ＵＲＬのＷｅｂページがページ保存部１２に存在する場合には上書き保存される。  
【００７３】
ページ保存部１２に保存されたデータ容量が規定値を超えるため新規に保存できない場合には、保存可能になるまで、ブックマークに登録されておらず、アクセス頻度が一定値以下であるものの中で、保存された時刻が最も古いデータから順に削除する。  
【００７４】
すべてのページがブックマークに登録されているか、またはアクセス頻度が一定値以上である場合は、その中で保存された時刻が最も古いデータから順に削除する。
【００７５】
次に、表示候補切り替え要求時の動作について、図３に関連付けて説明する。  
【００７６】
図３は、本実施形態に係る携帯端末１０におけるユーザ操作などによる表示候補切り替え要求時の動作例を説明するためのフローチャートである。本要求は、図２に関連付けて説明した初期表示動作を行った後にユーザからの操作により発せられる要求である。
【００７７】
ステップＳＴ２１において、Ｗｅｂページの初期表示時に記憶部１４に保存した更新箇所の中から、ひとつをユーザに選択させる。  
【００７８】
この操作は、全更新箇所を表示部に表示し、その中からユーザにひとつを選択させる方法でも良いし、直前に選択された更新箇所の次もしくは前の更新箇所を選択させる方法でも良い。
【００７９】
ステップＳＴ２２において、選択された更新箇所を所定の位置に表示するためのスクロール量を計算する。
【００８０】
次に、ステップＳＴ２３においては、ステップＳＴ２２で求めたスクロール量だけスクロールしページを表示部１６に表示する。
【００８１】
図４（ａ），（ｂ）はサンプルのＷｅｂページの更新前と更新後の全体のレイアウトを示した図である。  
【００８２】
図４（ａ）は、前回のページ取得時にページ保存部１２に保存されたＷｅｂページを示している。  
【００８３】
図４（ｂ）は、図４（Ａ）と同じＵＲＬで、新たにページ取得部１１により取得されたＷｅｂページを示している。  
【００８４】
図４（ａ）と図４（ｂ）示したＷｅｂページは制御部１７において比較され、更新箇所の検出が行われる。  
【００８５】
図の例では、「お知らせ」の後に「NEW」が追加され、「リンク」の後の「NEW」が削除され、「掲示板」が「BBS」に変更され、「mail: abc@abc.co.jp」が追加され、更新日が変更されている。ただし、削除された文字は更新箇所としない。また、更新箇所は、円で囲うなどして強調表示することにより、ユーザに認識しやすくしている。
【００８６】
更新箇所が互いに近接した位置に存在する場合はそれらの複数更新箇所を単一の更新箇所として扱う。  
【００８７】
これにより、更新箇所の増加を抑えることができ、ユーザの操作量も軽減することができる。  
【００８８】
また、同一ページ内に更新箇所が一定数以上存在する場合、そのページはリニューアルされたものとして扱い、更新箇所の初期表示は行わない。
【００８９】
本実施形態においては、更新のあった箇所に閲覧中のＷｅｂページとは異なるドメインのＵＲＬへのリンクが設定されている場合、前記更新箇所を検出対象としない。  
【００９０】
Ｗｅｂページで頻繁に更新される箇所は広告などの外部にリンクされた情報であることが多く、このような情報は多くのユーザにとってあまり重要ではない。本機能は、このような重要性の低い情報の更新通知を抑制するための機能である。
【００９１】
また、本実施形態においては、数字から成る文字列が別の数字から成る文字列に更新された場合、文字列を更新箇所として検出しない。  
【００９２】
数字のみが更新された場合、その数字はアクセスカウンタや、ページの更新日などの重要性の低い情報であることが多いと考えられるため、更新箇所の増加を抑制するため数字のみの更新は更新箇所として検出しない。
【００９３】
図５（ａ），（ｂ）は図４のＷｅｂページを閲覧したときの従来の表示例と、本実施形態における表示例を示す図である。  
【００９４】
図５（ａ）が従来の表示例を示し、図４（ｂ）の左上部分を表示している。  
【００９５】
一方、図５（ｂ）)は本実施形態における表示例を示し、最初に現れた更新箇所（「NEW」の部分）を表示部中央に表示している。
【００９６】
図６（ａ），（ｂ）は本実施形態における更新箇所の一覧表示例を示す図である。
【００９７】
一つのＷｅｂページに更新箇所が複数存在する場合には、図６（ａ）に示すように、Ｗｅｂページ全体を縮小表示して更新箇所の位置を示し、ユーザにどの更新箇所を表示するか選択させる。  
【００９８】
ユーザにより決定操作が行われると、図６（ｂ）に示すように、選択された更新箇所を元の倍率で表示するようスクロールを行う。
【００９９】
図７（ａ），（ｂ），（ｃ）は、本実施形態における更新の有無の表示例を示す図である。
【０１００】
この例ではピクトエリアにアイコンを表示することでユーザに更新の有無を通知する。図７（ａ）は更新があるときの表示例、図７（ｂ）は更新がないときの表示例、図７（ｃ）は対象となるＷｅｂページのキャッシュがページ保存部に存在せず判定不可能であるときの表示例を示している。
【０１０１】
図８は、本実施形態におけるアニメーションによる表示位置の移動例を示す図である。
【０１０２】
図中に破線で示した最初の表示位置から、実線で示したスクロール後の表示位置まで徐々にスクロールさせることで、表示中の画面がＷｅｂページ中のどの位置にあるのかをユーザに理解しやすくする効果をもつ。
【０１０３】
図９（ａ），（ｂ）は，本実施形態における更新箇所の検出例を示す図である。図９（ａ）は図４（ａ）、図９（ｂ）は図４（ｂ）のＷｅｂページのHTMLソースとする。
【０１０４】
本実施形態における更新箇所の比較は、前処理として、比較する２つのＷｅｂページのソースコードから、表示に関わりのないコメントやラベル、改行文字、空白文字を除去しておく。その後、２つのソースコードに対してマッチング処理を行い、対応する要素を求める。
【０１０５】
通常の文字列は文字単位でマッチングを行うが、タグは分解できない１要素としてマッチングを行う。  
【０１０６】
図９の例においては、更新後に“<img src="new.gif">”というタグが追加されている
ことがマッチング処理により検出される。  
【０１０７】
また、更新後に通常文字が削除されていても更新箇所として検出しないが、タグが追加・変更・削除された場合にはそのタグが影響を及ぼす範囲を更新箇所とする。  
【０１０８】
また、画像に関しては、画像の名称が更新されていなくても、比較する2つの画像ファイルの更新日付が異なっていた場合には画像全体を更新箇所とする。
【０１０９】
図９においては、ソース中には“new.gif”より先に“top.jpg”という画像が設定されているが、本発明では更新箇所である“new.gif”を“top.jpg”より先に読み込み、その画像のサイズ情報などを調べる。
【０１１０】
図１０（ａ），（ｂ），（ｃ）は表示位置の遷移を表した図である。  
【０１１１】
図１０（ａ），（ｂ），（ｃ）はそれぞれ第１、第2、第3の更新箇所の表示位置を示しており、Ｗｅｂページ取得後、自動的に、あるいはユーザからの操作により図１０（ａ）の画面に遷移する。
【０１１２】
本実施形態においては、ユーザからの操作や自動表示位置切り替え機能などにより図１０（ａ）の表示位置から図１０（ｂ）、（ｃ）の表示位置へと順に切り替えることも可能とする。  
【０１１３】
このとき、ユーザに次の優先表示候補の存在を知らせるため、表示部上に何らかの表示を行う。最後の更新箇所の表示後は、切り替え操作により最初の更新箇所の表示位置へと戻る。  
【０１１４】
また、ユーザが確定操作を行うと、現在の表示位置のまま更新箇所の強調表示や次の更新箇所の存在を知らせる表示を消し、通常のＷｅｂ閲覧画面へと戻る。
【０１１５】
以上説明したように、本実施形態によれば、携帯端末１０において、Ｗｅｂページ閲覧時にそのページを一時的に保存しておくページ保存部１２を設け、再度同じＷｅｂページを閲覧したとき、制御部１７が前回保存しておいたページ内容との比較を行い、更新された箇所が表示部中の所定の位置に表示されるよう表示範囲を移動させ表示部１６に表示することから、以下の効果を得ることができる。  
【０１１６】
Ｗｅｂページの閲覧時に、携帯端末のような小さな表示部しか持たない情報機器であってもスクロール操作などを何度も行うことなく、ユーザが優先的に表示させたい情報が含まれる部分をすばやく表示部に表示することが可能となる。
【符号の説明】
【０１１７】
１０…携帯端末
１１…ページ取得部
１２…ページ保存部
１３…計時部
１４…記憶部
１５…操作部
１６…表示部
１７…制御部
【図１】
2010170583.tif 000003
【図２】
2010170583.tif 000004
【図３】
2010170583.tif 000005
【図４】
2010170583.tif 000006
【図５】
2010170583.tif 000007
【図６】
2010170583.tif 000008
【図７】
2010170583.tif 000009
【図８】
2010170583.tif 000010
【図９】
2010170583.tif 000011
【図１０】
2010170583.tif 000012